(57)【要約】【目的】３段階以上に高さを調節することができ、連結作業が簡単である多段分割脚構造を提供することである。【構成】天板１の隅部に脚２を立設されており、脚２を３段以上の複数段（本実施例では３段）の分割脚２１，２２，２３に分割する。第１段分割脚２１は上端が天板１の下面に連結され、下端が第２段分割脚２２の上端に連結され、第２段分割脚２２の下端は第３段分割脚２３の上端に連結されて最大長の脚となる。分割脚２２，２３の一方を取り除くことで脚長を短くする。【選択図】        図１
2004236833.tif 000002
【特許請求の範囲】
【請求項１】
脚を有する家具の脚において、脚を３段以上の複数段の分割脚に分割し、個々の分割脚の上端に、係合金具及び受金具から成る連結金具の一方の金具を装着し、個々の分割脚の下端に連結金具の他方を装着したことを特徴とする多段分割脚構造。
【請求項２】
任意の段数の分割脚を連結した脚の下端に、最下段の分割脚の下端を覆う脚下端保護カバーを設け、脚下端保護カバーの上面に分割脚の上端と同じ連結金具を装着したことを特徴とする請求項１記載の多段分割脚構造。
【請求項３】
脚の下端に、脚の下端に設置した連結金具を覆うゴム製の脚下端保護カバーを設けたことを特徴とする請求項１記載の多段分割脚構造。
【発明の詳細な説明】
【０００１】
【発明が属する技術分野】
本発明は、脚を有する卓、机等の家具、特に炬燵における多段分割脚構造に関する。
【０００２】
【従来の技術】
従来、家庭用の暖房用電気炬燵、座卓、机等の脚を有する家具において、脚の長さが固定されており、天板等の高さの調節ができず、購入時に高さを定めると最後まで高さを変えることができないという問題があった。
この問題を解決するため、脚の高さ方向に多数の孔を開けてボルト等で天板を支持し、天板や引出し等の高さを調節するものが用いられている。
例えば、図４に示すように、天板Ａ及び引出しＢを一体に形成してボルト穴を穿設するとともに、脚Ｃに多数の孔Ｄを高さ方向に穿設し、外側から孔Ｄを貫通させたボルトＥにより天板Ａ及び引出しＢを適宜高さに調節固定する。
また、脚を上下２個に分割し、一方の分割面にボルトを立設し、他方の分割面にボルトの螺合するネジ穴を穿設して、連結するものが知られている。
例えば、図５に示すように、脚を上半部Ｆと下半部Ｇとに分割し、下半部Ｇの上端の分割面Ｈの中央にボルトＪを立設し、上半部Ｆの分割面（図示略）にネジ穴を穿設し、ボルトＪを螺合させることにより、上半部Ｆと下半部Ｇとを連結可能とし、高さを調節できるようにしている。
【０００３】
【発明が解決しようとする課題】
しかしながら、上記従来の脚においては、脚を２分割することしか行われていないため、高さの調節が２段階にしか行うことができず、適切な高さに調節しにくいという問題があった。
また、外側から孔を貫通させたボルトにより固定するものは、固定作業の間、重い天板及び引出しを高い位置に保持しなくてはならず、作業が困難であるという問題があった。
さらに、脚の接合手段として埋め込みボルトを用いるものは、連結作業の際、脚の下半部を固定するために回転数が多く、何回も回転させなくてはならず、連結作業に要する時間が大であるという問題があった。
【０００４】
本発明の目的は、上記問題点を解決し、３段階以上に高さを調節することができ、連結作業が簡単である多段分割脚構造を提供することである。
【０００５】
【課題を解決するための手段】
上記目的を達成するために本発明の多段分割脚構造は、請求項１において、脚を有する家具の脚であって、脚を３段以上の複数段の分割脚に分割し、個々の分割脚の上端に、係合金具及び受金具から成る連結金具の一方の金具を装着し、個々の分割脚の下端に連結金具の他方を装着したことにより、脚の長さを多段階に容易に調節することができる。
請求項２において、任意の段数の分割脚を連結した脚の下端に、最下段の分割脚の下端を覆う脚下端保護カバーを設け、脚下端保護カバーの上面に分割脚の上端と同じ連結金具を装着したことにより、脚下端保護カバーを強固に連結することができる。
請求項３において、脚の下端に、脚の下端に設置した連結金具を覆うゴム製の脚下端保護カバーを設けたことにより、脚下端保護カバーを小さく軽量化することができるとともに、脚の下端面に脚下端保護カバーが露出して床面に当接し、摩擦を大きくするから滑る恐れがなくなる。
【０００６】
【発明の実施の形態】
本発明を炬燵に適用した実施例を図を参照して説明する。
図１において、天板１の隅部に脚２を立設されており、脚２を３段以上の複数段（本実施例では３段）の分割脚２１，２２，２３に分割する。
第１段分割脚２１は上端が天板１の下面に連結され、下端が第２段分割脚２２の上端に連結され、第２段分割脚２２の下端は第３段分割脚２３の上端に連結されて最大長の脚となる。
【０００７】
第１〜３段分割脚２１，２２，２３は、長さ方向に全体に断面形が同一且つ同一外形寸法に形成されることで、第１〜３段分割脚２１，２２，２３の連結順序を任意に変更することが可能となる。
また、第１〜３段分割脚２１，２２，２３の長さを均一にしないで、互いに異なる長さに形成することで、脚の長さを多段階に調節することができる。
【０００８】
この構成によると、分割脚の選択本数により、脚の長さを自由に調節することができる。
また、個々の分割脚の長さを互いに異ならせることで、脚の長さの調節範囲が増大するものである。
さらに、脚野分割段数を多くする、即ち個々の分割脚を短めに設定することで脚の長さの調節範囲を一層増大させることができる。
【０００９】
脚２の下端には、脚２の下端を覆う脚下端保護カバー３が装着されており、脚２の下端面及び床面を保護する。
脚下端保護カバー３は、ゴム等の弾性材でも良いが、樹脂、木材等の硬い材料で形成し、上面即ち受け面３１及び脚２の下端面のそれぞれに、連結金具を設置することによって脚下端保護カバー３を脚２の下端に強固に連結することができる。
【００１０】
なお、脚下端保護カバーは、ゴム等の弾性材を用いて、脚２の下端面に露出している連結金具のみを覆うようにすることもでき、
こうすることにより、脚下端保護カバーを小さく軽量化することができるとともに、脚２の下端面に脚下端保護カバーが露出して床面に当接し、摩擦を大きくするから滑る恐れがなくなる。
【００１１】
図２〜４において、連結金具を説明する。
図２において、天板１の隅部等に、円形の有底受穴１１が穿設されており、有底受穴１１の底部中央に有底嵌合穴１１０が穿設され、該有底嵌合穴１１０に受金具１０が嵌め込まれて連結部が形成される。
脚１２の上端部に、上記有底受穴１１に嵌合する断面円形の円柱状係合突部１３が突設され、円柱状係合突部１３の上端面中央に、上記受金具１０と係合する係合金具５が設置されて連結部が形成される。
【００１２】
動作について説明すると、脚１２の円柱状係合突部１３を、天板１の有底受穴１１に挿入して嵌合させるとともに、有底受穴１１内の受金具１０に、円柱状係合突部１３の係合金具５を係合させることにより、脚１２を天板１に連結固定する。
【００１３】
この構成によると、脚の円柱状係合突部を天板の有底受穴に挿入して受金具に係合金具を係合させる動作だけで脚取付動作が終了するものであるから、簡単な動作で、短時間にスピーディに脚の取付を行なうことができ、取外しも簡単に行なうことができる。
なお、有底受穴と円柱状係合突部、並びに受金具と係合金具の設置位置を天板と脚とでどちらに配置しても良いものである。
【００１４】
図３及び図４において、受金具１０について説明すると、矩形の受頂板１００の外周縁を立てて、裏側に突出する縦周壁１１１をプレス加工等で形成して全周に設け、有底受穴１１に穿設した有底嵌合穴１１０に受頂板１００を外側にして嵌合させる。
有底嵌合穴１１０は、深さを受金具１０の厚さｄに等しくし、孔の形状を受頂板１００の平面形状（本実施例では矩形）に等しくすることで、受金具１を有底嵌合穴１１０に嵌合するだけで固定できる。
【００１５】
また、予め定められた直径の円周２００に一致する円弧状の係止長孔２を、円周２００の中心に対して点対称位置に２個穿設するとともに、円周２００の中心位置に予め定められた直径の受側軸孔２２を穿設する。
円周２００は、その中心が一般に受頂板１００の中心と一致しているものであるが、中心の位置はこれに限られるものではない。
【００１６】
係止長孔２の一端を拡大して挿入孔２１を形成し、両係止長孔２，２及び挿入孔２１，２１を、円周２００の中心に対して点対称位置に設ける。
両係止長孔２の傍で、円周２００の半径方向内側で、係止長孔２の途中位置に対応する位置に裏側に突出する係止突起３を設ける（図３参照）。
なお、受頂板１００の形状は楕円形、円形、任意多角形等の任意の形状を採用することができる。
【００１７】
図５及び図６において、係合金具５について説明すると、上記受金具１０の両係止長孔２，２に対応する同一直径の円周２００上に位置する一対の係合爪６，６を切り起こし、円周２００の中心位置に予め定められた直径の受側軸孔６５を穿設する。
係合爪６の先端（自由端）は、上記受金具１の受頂板１００の厚さを僅か（例えば、１ｍｍ）に上回る位置で、係合爪６を切り起こした孔６４側に直角に曲げて（図６参照）、摺動片６３を形成する。
【００１８】
動作について説明すると、天板１の隅部に、下方開放の有底受穴１１と有底嵌合穴１１０とが穿設され、この有底嵌合穴１１０に受金具１０が嵌合固定されており、また、脚１２の上端部に、円柱状係合突部１３が突設され、円柱状係合突部１３の上端面中央に係合金具５が上向きに設置されている。
【００１９】
脚１２の円柱状係合突部１３を、天板１０の有底受穴１１に挿入し、脚１２の上端の係合金具５を受金具１に係合させる。
係合金具５の係合爪６の先端の摺動片６３を、受金具１の係止長孔２における挿入孔２１に挿入して、脚１２を回動させて摺動片６３を係止長孔２に沿って摺動させる。
【００２０】
摺動片６３が係止長孔２の終端（挿入孔２１と反対側端）に達する途中で、係止突起３に当たって止まるが、少し強く回動力を加えることで、摺動片６３は、その弾性により、押し曲げられて係止突起３を乗り越え、係止長孔２の終端にまで移動する。
なお、受金具並びに係合金具の成形加工はプレスで簡単に成形できる。
【００２１】
この構成によると、脚の円柱状係合突部を天板の有底受穴の挿入して、通常は９０度以内である所定角度だけ回動させるという脚の取付が簡単な操作で行なうことができる。
また、外周縁に縦周壁を設けることで、受金具並びに係合金具の剛性を高め、連結部の強度を向上させることができる。
【００２２】
なお、脚下端保護カバー３を設けることにより、係合金具５または受金具１０の何れを第１〜３段分割脚２１，２２，２３の上端または下端のどちらに取り付けても良いものである。
第１〜３段分割脚２１，２２，２３  の上端に係合金具５（又は受金具１０）を、下端に受金具１０（または係合金具５）を揃えて配設する。
【００２３】
さらに、脚下端保護カバーは、連結金具に嵌合して連結金具のみを覆うものとしても良いものである。
図８を参照して詳述すると、ゴム等の弾性材を用いて受金具１の受頂板１００の外形と同形、同寸法のカバー７を形成し、カバー７の受金具１に接する面に、受金具１の受側軸孔２２に挿入される係合突起７１を突設する。
【００２４】
【発明の効果】
本発明は、上述のとおり構成されているから次に述べる効果を奏する。
請求項１において、脚を有する家具の脚であって、脚を３段以上の複数段の分割脚に分割し、個々の分割脚の上端に、係合金具及び受金具から成る連結金具の一方の金具を装着し、個々の分割脚の下端に連結金具の他方を装着したことにより、脚の長さを多段階に容易に調節することができる。
請求項２において、任意の段数の分割脚を連結した脚の下端に、最下分割脚の下端を覆う脚下端保護カバーを設け、脚下端保護カバーの上面に分割脚の上端と同じ連結金具を装着したことにより、床面との間の摩擦を大きくして滑る恐れがなくなるとともに、脚下端保護カバーを強固に連結することができる。
請求項３において、脚の下端に、脚の下端に設置した連結金具を覆うゴム製の脚下端保護カバーを設けたことにより、脚下端保護カバーを小さく軽量化することができるとともに、脚の下端面に脚下端保護カバーが露出して床面に当接し、摩擦を大きくするから滑る恐れがなくなる。
【図面の簡単な説明】
【図１】本発明の多段分割脚構造の概略構成図である。
【図２】本発明の連結金具の概略構成図である。
【図３】本発明に係る受金具の平面図である。
【図４】図３におけるＩＶ−ＩＶ線断面図である。
【図５】本発明に係る係合金具の平面図である。
【図６】図５におけるＶＩ−ＶＩ線断面図である。
【図７】本発明に係る脚下端保護カバーの斜視図である。
【図８】従来の脚長調節構造の側面図である。
【図９】従来の異なる脚長調節構造の説明図である。
【符号の説明】
１  天板
２  脚
２１  第１段分割脚
２２  第２段分割脚
２３  第３段分割脚
３  脚下端保護カバー
３１  受け面
５  係合金具
１０  受金具
【図１】
2004236833.tif 000003
【図２】
2004236833.tif 000004
【図３】
2004236833.tif 000005
【図４】
2004236833.tif 000006
【図５】
2004236833.tif 000007
【図６】
2004236833.tif 000008
【図７】
2004236833.tif 000009
【図８】
2004236833.tif 000010
【図９】
2004236833.tif 000011